(57)【要約】【課題】  表示パネルと表示保護板を一体化させた表示装置において、表示パネルに強い圧力を加えることなく、外装カバーに保持する表示装置の保持構造を提供することである。【解決手段】  表示パネルと、前記表示パネルの表示面側を保護する透光性を有する表示保護板と、前記表示パネルと前記表示保護板との間に透明部材を密着状態で配置する表示保護板一体型表示装置と、前記表示保護板の透光部の大きさと略同一の開口窓を有した外装カバーと、において、前記表示保護板一体型表示装置の前記表示保護板を、前記外装カバーの非外観面側に固着させる固定部材を有することを特徴とする構成とした。【選択図】  図３
2011039422.tif 000002
【特許請求の範囲】
【請求項１】
表示パネル（１１）と、前記表示パネル（１１）の表示面側を保護する透光性を有する表示保護板（１２）と、前記表示パネル（１１）と前記表示保護板（１２）との間に透明部材（１３）を密着状態で配置する表示保護板一体型表示装置（１４）と、前記表示保護板（１２）の透光部の大きさと同一の開口窓を有した外装カバー（１５）と、において、
前記表示保護板一体型表示装置（１４）の前記表示保護板（１２）を、前記外装カバー（１５）の非外観面側に固着させる固定部材（１６）を有することを特徴とする表示装置の保持構造。
【請求項２】
前記固定部材（１６）は、両面テープであることを特徴とする請求項１記載の表示装置の保持構造。
【請求項３】
表示パネル（１１）と、前記表示パネル（１１）の表示面側を保護する透光性を有する表示保護板（１２）と、前記表示パネル（１１）と前記表示保護板（１２）との間に透明部材（１３）を密着状態で配置する表示保護板一体型表示装置（１４）と、前記表示保護板（１２）の透光部の大きさと同一の開口窓を有した外装カバー（１５）と、において、
前記表示保護板一体型表示装置（１４）の前記表示保護板（１２）を、前記外装カバー（１５）の非外観面側から弾性部材（１８）を介して前記外装カバー（１５）に保持する保持部材（１７）を有することを特徴とする表示装置の保持構造。
【請求項４】
前記弾性部材（１８）は、前記保持部材（１７）と一体的になっていることを特徴とする請求項３記載の表示装置の保持構造。
【請求項５】
前記弾性部材（１８）は、遮光性を有する部材で構成されていることを特徴とする請求項３記載の表示装置の保持構造。
【請求項６】
表示パネル（１１）と、前記表示パネル（１１）の表示面側を保護する透光性を有する表示保護板（１２）と、前記表示パネル（１１）と前記表示保護板（１２）との間に透明部材（１３）を密着状態で配置する表示保護板一体型表示装置（１４）と、前記表示保護板（１２）の透光部の大きさと同一の開口窓を有した外装カバー（１５）と、において、
前記表示保護板一体型表示装置（１４）の前記表示保護板（１２）を、前記外装カバー（１５）の非外観面側に固着させる固定部材（１６）と、前記表示保護板（１２）を、前記外装カバー（１５）の非外観面側から弾性部材（１８）を介して前記外装カバー（１５）に保持する保持部材（１７）を有することを特徴とする表示装置の保持構造。
【発明の詳細な説明】
【技術分野】
【０００１】
本発明は、電子機器の各種情報を表示する表示装置の保持構造に関し、特に、視認性を向上する構造を有する表示装置の保持構造に関するものである。
【背景技術】
【０００２】
従来、表示装置が搭載される電子機器を、太陽光等が入射する明るい場所で使用すると、表示装置の表示情報のコントラストが低下して表示画面が見難くなる。これは、太陽光等の外部光が、表示装置の前面にある表示保護板の表面と裏面、また内部の表示パネルの表面等で反射し、この反射光が表示情報と共に眼に入ることによるものである。これらの現象が発生する主要因としては、表示パネルと、この表示パネルを保護する表示保護板との間に形成される一定厚みの空気層が挙げられる。この空気層と一般的な表示保護板の材料であるアクリルやガラスとの屈折率の相違に起因して、良好な光学特性が得られなくなるのである。
【０００３】
しかしながら、この空気層は、表示保護板の表面からの外力もしくは衝撃力が表示パネルに伝わることで発生しうる表示パネル上の表示ムラ発生の防止や表示パネル自体の破損等を防止するための緩衝効果を目的として設けられるものである。この空気層の距離は、機器の使用目的や用途、機器の重さや表示保護板の材質や厚み、表示パネルの大きさや構造等によっても様々ではあるが、外力や衝撃力に対し十分な緩衝特性を得るためには、約１．０ｍｍ程度の空気層は必要である。
【０００４】
この空気層に対して表示保護板の素材の屈折率と同等の屈折率を有する別素材を充填すれば光学特性が向上し、表示画面に現れる文字や図形がより明瞭になる。そこで、表示パネルと表示保護板との間に、光学的な透過率が高く、衝撃吸収に優れたシリコーンゲル等の光錯乱防止素材を介在させ、表示パネルと表示保護板を一体化させた表示装置が知られている。
【０００５】
一方、表示パネルの表示ムラや破損防止を目的に、表示パネルとバックライトが一体化された表示装置を電子機器本体に対して浮遊支持した構造が提案されている。
【０００６】
例えば、特許文献１では、液晶表示部とその背面のバックライトが一体化された液晶表示パネルが、カメラ本体部に対して緩衝部材によってフローティング支持されるようにしたカメラ装置における液晶表示パネルが開示されている。
【先行技術文献】
【特許文献】
【０００７】
【特許文献１】特開２００２−３６５６１３号公報
【発明の概要】
【発明が解決しようとする課題】
【０００８】
しかしながら、上述の特許文献に開示された従来技術は、前記したような表示パネルと表示保護板を一体化させた表示装置の表示ムラや破損防止を行うものではなかった。なぜならば、表示パネルと表示保護板を一体化させた表示装置は、表示保護板を電子機器の外装カバー等に固定した場合、表示パネルに強い圧力が加わると表示パネルに表示ムラが生じるという問題点があり、これの考慮がなされていなかった。特に、表示面の前後方向からに強い圧力が加わると表示パネルに表示ムラが生じ易かった。この表示ムラの原因は、表示パネルと表示保護板が一体化されているため、表示保護板が固定されると表示パネルを構成しているガラス板等にかかる外力を逃がすことができず微小な変形を起こすからである。
【０００９】
そこで、本発明の目的は、表示パネルと表示保護板を一体化させた表示装置において、表示パネルに強い圧力を加えることなく、外装カバーに保持する表示装置の保持構造を提供することである。
【課題を解決するための手段】
【００１０】
上記目的を達成するために、本発明は、表示パネルと、前記表示パネルの表示面側を保護する透光性を有する表示保護板と、前記表示パネルと前記表示保護板との間に透明部材を密着状態で配置する表示保護板一体型表示装置と、前記表示保護板の透光部の大きさと略同一の開口窓を有した外装カバーと、において、前記表示保護板一体型表示装置の前記表示保護板を、前記外装カバーの非外観面側に固着させる固定部材を有することを特徴とする。
【発明の効果】
【００１１】
本発明によれば、表示パネルと表示保護板を一体化させた視認性の良い表示装置において、表示装置を電子機器の外装カバー等に固定した場合にも表示パネルに物理的な負荷のかからない状態で保持することができる。したがって、視認性の良い表示装置を電子機器に搭載した場合でも、表示装置に表示ムラを生じさせることなく提供することができる。
【図面の簡単な説明】
【００１２】
【図１】本発明の実施形態を示した表示装置を搭載した電子機器の図である。
【図２】本発明の第１の実施形態を示した表示装置の保持構造の要部斜視図である。
【図３】本発明の第１の実施形態を示した表示装置の保持構造の要部断面図である。
【図４】本発明の第２の実施形態を示した表示装置の保持構造の要部斜視図である。
【図５】本発明の第２の実施形態を示した表示装置の保持構造の要部断面図である。
【図６】本発明の第３の実施形態を示した表示装置の保持構造の要部斜視図である。
【図７】本発明の第３の実施形態を示した表示装置の保持構造の要部断面図である。
【発明を実施するための形態】
【００１３】
以下に、本発明の好ましい実施の形態を、添付の図面に基づいて詳細に説明する。但し、この実施の形態に記載されている構成部品の寸法、材質、形状、その相対配置などは、特に特定的な記載がない限りはこの発明の範囲をそれのみに限定する趣旨ではなく、単なる説明例に過ぎない。
【実施例１】
【００１４】
図１から図３を用いて、本発明の表示装置及び、表示装置を搭載する電子機器の一実施形態であるデジタルカメラを説明する。最初に、図１を用いてデジタルカメラの外観レイアウトについて説明する。１はデジタルカメラ本体である。２は撮影モード設定ダイヤル、３は撮影メニュー設定釦、４は設定値入力ダイヤル、５は設定値決定釦である。６は接眼レンズである。１４は後述する表示保護板一体型表示装置であり、撮影メニュー表示等に使用するものである。次に、図２、図３を用いて本発明における第一の実施形態である表示装置について説明する。図２は当該表示装置の要部分解斜視図である。図３は図２における図１のＡＡ断面位置を模式的に表した図である。
【００１５】
図１から図３において、１１は表示パネルであり、液晶等をガラス基板で挟み込むようにして封止し、さらにガラス基板の外側に偏光板を配置して構成されている。１１ａは表示パネル１１に接続された配線引出しのためのフレキシブル基板であり、不図示の電気基板に接続される。表示パネル１１は、その背面に不図示のバックライト照明装置があり、表示パネル１１とバックライトとが一体にユニット化された形態になっている。１２は表示保護板であり、透光性の高いアクリルやポリカーボネート、または改質処理等がなされた高強度ガラス製等が用いられている。１３は光錯乱防止部材であり、無色透明でかつ表示保護板１２の屈折率と同等の屈折力を有しており、表示パネル１１と表示保護板１２との間に隙間なく密着状態で配置される。またこの光錯乱防止部材１３については、シート状の素材のものや液体状の熱や紫外線光による硬化剤等を用いても良い。こうして、表示パネル１１と表示保護板１２は一体化した表示保護板一体型表示装置１４となっている。
【００１６】
１５は外装カバーであり、前記の表示保護板一体型表示装置１４を図２の左方向の非外観面側からはめ込むことができるような開口窓部１５ｅを有している。１６は円環状の両面テープであり、表示保護板一体型表示装置１４の表示保護板１２と外装カバー１５を固定するものである。ここで、円環状の両面テープ１６は、表示保護板一体型表示装置１４を外装カバー１５に固定するとともに、表示保護板１２と外装カバー１５が密着することで水滴や塵埃がデジタルカメラ１内部へ侵入することを防いでいる。表示パネル１１は不図示の導電部材によりアースに接続されていて、表示パネル１１からノイズが出るのを抑えている。ここで、表示保護板一体型表示装置１４と外装カバー１５を固定するための構成は、組立製造上を考慮すると前記したような構成が簡便ではあるが、他にも接着剤による固定やビス固定、溶着固定と言った方法を用いても良い。
【００１７】
図２から分かるように、表示保護板一体型表示装置１４は表示保護板１２を外装カバー１５に両面テープ１６のみで固定されている。したがって、表示保護板一体型表示装置１４の表示パネル１１には重力以外の力がかからない状態になっていることが分かる。したがって、表示パネル１１に強い圧力、特に、表示面の前後方向からの強い圧力が加わり、表示パネル１１に表示ムラが生じさせることなく、表示保護板一体型表示装置１４を外装カバー１５に保持することが可能となる。
【実施例２】
【００１８】
次に、図４、図５を用いて本発明における第２の実施形態である表示装置について説明する。図４は当該表示装置の要部分解斜視図である。図５は図４における図１のＡＡ断面位置を模式的に表した図である。
【００１９】
図４、図５において、表示装置は実施例１の表示保護板一体型表示装置１４と同じものである。
【００２０】
１５は外装カバーであり、前記の表示保護板一体型表示装置１４を図４の左方向の非外観面側からはめ込むことができるような開口窓部１５ｅを有している。１７は保持部材であり、表示保護板一体型表示装置１４を一体的に覆うように、外装カバー１５の非外観面側から保持する為の部材である。本実施例の保持部材１７は金属板を曲げ加工で構成した形状としているが、他には樹脂材料やダイキャスト材料等によって形成するものであっても構わない。保持部材１７にはビス固定用の穴１７ａ、１７ｂ、１７ｃ、１７ｄが設けており、これに対応して外装カバー１５にビス下穴１５ａ、１５ｂ、１５ｃ、１５ｄが設けられている。固定ビス１９ａ、１９ｂ、１９ｃ、１９ｄにより、保持部材１７は外装カバー１５に固定される。表示パネル１１は不図示の導電部材によりアースに接続されていて、表示パネル１１からノイズが出るのを抑えている。ここで、保持部材１７を外装カバー１５に固定するための構成は、組立製造上を考慮すると前記したような構成が簡便ではあるが、他にも接着剤による固定や溶着固定と言った方法を用いても良い。
【００２１】
１８ａ、１８ｂ、１８ｃは弾性部材であり、スポンジやゴム等の弾性力を有した部材であり、遮光性を有する。ここで、弾性部材１８は、不図示の両面テープ等によって、保持部材１７に接着されている。固定ビス１９が前記外装カバー１５に締結されるとき、弾性部材１８を所定の弾性保持力が発生するように押し潰し、表示保護板一体型表示装置１４は外装カバー１５に押し付けられる。こうして、表示保護板一体型表示装置１４は前記外装カバー１５の非外観面側から弾性部材１８を介して前記外装カバー１５に固定される。ここで、弾性部材１８は、外装カバー１５の開口窓部１５ｅの縁と前記表示保護板１２との両者にまたがって配置されていて、表示保護板１２の外からの入射光がデジタルカメラ１内部へ侵入することを防いでいる。また、弾性部材１８は、組立製造上を考慮して保持部材１７と一体化しているが、特に一体化しなくても前記表示保護板１２と外装カバー１５の開口窓部１５ｅの両方と保持部材１７の間に配置されていても良い。また、上記のような構成にすることで、ユーザによる表示保護板１２の面直方向の応力を保持部材１７と弾性部材１８とによって吸収することが可能である。
【００２２】
図５から分かるように、表示保護板一体型表示装置１４は表示保護板１２を外装カバー１５に弾性部材１８を介して保持部材１７を用いて固定されている。したがって、表示保護板一体型表示装置１４の表示パネル１１には重力以外の力がかからない状態になっていることが分かる。したがって、表示パネル１１に強い圧力、特に、表示面の前後方向からの強い圧力が加わり、表示パネル１１に表示ムラが生じさせることなく、表示保護板一体型表示装置１４を外装カバー１５に保持することが可能となる。
【００２３】
ここで、表示保護板一体型表示装置１４と外装カバー１５の間に円還状のシリコンゴム等の弾性部材を挟み込み、表示保護板一体型表示装置１４を外装カバー１５に弾性部材１８を介して保持部材１７を用いて固定しても良い。こうすることで、表示保護板１２と外装カバー１５が密着し、水滴や塵埃がデジタルカメラ１内部へ侵入することを防ぐことが可能となる。
【実施例３】
【００２４】
次に、図６、図７を用いて本発明における第３の実施形態である表示装置について説明する。図６は当該表示装置の要部分解斜視図である。図７は図５における図１のＡＡ断面位置を模式的に表した図である。
【００２５】
図５において、表示装置は実施例１の表示保護板一体型表示装置１４と同じものである。
【００２６】
１５は外装カバーであり、前記の表示保護板一体型表示装置１４を図６の左方向の非外観面側からはめ込むことができるような開口窓部１５ｅを有している。１６は円環状の両面テープであり、表示保護板一体型表示装置１４の表示保護板１２と外装カバー１５を固定するものである。ここで、円環状の両面テープ１６は、表示保護板一体型表示装置１４を外装カバー１５に固定するとともに、表示保護板１２と外装カバー１５が密着することで水滴や塵埃がデジタルカメラ１内部へ侵入することを防いでいる。表示パネル１１は不図示の導電部材によりアースに接続されていて、表示パネル１１からノイズが出るのを抑えている。ここで、表示保護板一体型表示装置１４と外装カバー１５を固定するための構成は、組立製造上を考慮すると前記したような構成が簡便ではあるが、他にも接着剤による固定やビス固定、溶着固定と言った方法を用いても良い。
【００２７】
１７は保持部材であり、表示保護板一体型表示装置１４を一体的に覆うように、外装カバー１５の非外観面側から保持する為の部材である。本実施例の保持部材１７は金属板を曲げ加工で構成した形状としているが、他には樹脂材料やダイキャスト材料等によって形成するものであっても構わない。保持部材１７にはビス固定用の穴１７ａ、１７ｂ、１７ｃ、１７ｄが設けており、これに対応して外装カバー１５にビス下穴１５ａ、１５ｂ、１５ｃ、１５ｄが設けられている。固定ビス１９ａ、１９ｂ、１９ｃ、１９ｄにより、保持部材１７は外装カバー１５に固定される。ここで、保持部材１７を外装カバー１５に固定するための構成は、組立製造上を考慮すると前記したような構成が簡便ではあるが、他にも接着剤による固定や溶着固定と言った方法を用いても良い。
【００２８】
１８ａ、１８ｂ、１８ｃは弾性部材であり、スポンジやゴム等の弾性力を有した部材であり、遮光性を有する。ここで、弾性部材１８は、不図示の両面テープ等によって、保持部材１７に接着されている。固定ビス１９が前記外装カバー１５に締結されるとき、弾性部材１８を所定の弾性保持力が発生するように押し潰し、表示保護板一体型表示装置１４は外装カバー１５に押し付けられる。こうして、表示保護板一体型表示装置１４は前記外装カバー１５の非外観面側から弾性部材１８を介して前記外装カバー１５に固定される。こうすることで、より安定的に表示保護板一体型表示装置１４を外装カバー１５に保持することが可能となる。ここで、弾性部材１８は、外装カバー１５の開口窓部１５ｅの縁と前記表示保護板１２との両者にまたがって配置されていて、表示保護板１２の外からの入射光がデジタルカメラ１内部へ侵入することを防いでいる。また、弾性部材１８は、組立製造上を考慮して保持部材１７と一体化しているが、特に一体化しなくても前記表示保護板１２と外装カバー１５の開口窓部１５ｅの両方と保持部材１７の間に配置されていても良い。また、上記のような構成にすることで、ユーザによる表示保護板１２の面直方向の応力を保持部材１７と弾性部材１８とによって吸収することが可能である。
【００２９】
図７から分かるように、表示保護板一体型表示装置１４は表示保護板１２を外装カバー１５に両面テープ１６と弾性部材１８を介して保持部材１７を用いて固定されている。したがって、表示保護板一体型表示装置１４の表示パネル１１には重力以外の力がかからない状態になっていることが分かる。したがって、表示パネル１１に強い圧力、特に、表示面の前後方向からの強い圧力が加わり、表示パネル１１に表示ムラが生じさせることなく、表示保護板一体型表示装置１４を外装カバー１５に保持することが可能となる。
【００３０】
以上、本発明を実施の形態により具体的に説明したが、本発明は前記実施形態にのみ限定されるものではなく、その要旨を逸脱しない範囲で種々変更可能である。すなわち表示パネルを構成しているガラス板等に微小な変形させ、表示ムラが生じさせることがないくらいの弱い圧力ならばかかっても問題ない。また、本発明は、デジタルスチルカメラ、デジタルムービーカメラ、ＰＤＡ、ポケットＴＶ、携帯型のＰＣ、携帯電話等に適用してもよい。また、本実施形態における表示パネルとしては、バックライトが内蔵された透過型の液晶表示装置について説明したが、バックライトの代わりに反射板を内蔵した、いわゆる反射型の液晶表示装置としてもよく、更にはプラズマ表示装置、有機エレクトロルミネセンス表示装置、またはフィールドエミッション表示装置についても本発明を適用した場合でも勿論同様の効果を得ることができる。
【符号の説明】
【００３１】
１１  表示パネル
１２  表示保護板
１３  光錯乱防止部材
１４  表示保護板一体型表示装置
１５  外装カバー
１６  両面テープ
１７  保持部材
１８ａ、１８ｂ、１８ｃ  弾性部材
１９ａ、１９ｂ、１９ｃ、１９ｄ  固定ビス
【図１】
2011039422.tif 000003
【図２】
2011039422.tif 000004
【図３】
2011039422.tif 000005
【図４】
2011039422.tif 000006
【図５】
2011039422.tif 000007
【図６】
2011039422.tif 000008
【図７】
2011039422.tif 000009